【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】  
【請求項１】  光学性能を測定すべき光ピックアップの凹所に嵌まり込むことによって、光ピックアップの予め定めるＸ方向の一端部を保持する第１保持部材と、
前記光ピックアップの前記Ｘ方向の他端部には、前記Ｘ方向に垂直なＹ方向に延びる主軸が設けられ、前記主軸の両端部を上方から押さえるとともに、前記光ピックアップを前記Ｘ方向一方側に付勢する第２保持部材と、
前記保持された光ピックアップに対して、測定用光ディスクを予め定めるスキュー位置に保持する光ディスク保持手段と、
前記測定すべき光ピックアップが、前記測定用光ディスクから読み出すことによって生じた電気信号を光学情報値に演算する制御手段を有する制御装置とを備えることを特徴とする光ピックアップ性能測定装置。
【請求項２】  前記第１および第２保持部材は、少なくとも前記Ｘ方向に直線的に変位可能で、かつＸ方向とＹ方向と、Ｘ方向およびＹ方向に垂直なＺ方向とに平行な、Ｘ〜Ｚ軸線まわりに角変位可能な精密ステージ上に固定されることを特徴とする請求項１記載の光ピックアップ性能測定装置。
【請求項３】  前記光ディスク保持手段は、保持すべき測定用光ディスクを、予め定めるセンタ位置に規制するセンタ規制部材を備えることを特徴とする請求項１または２に記載の光ピックアップ性能測定装置。
【請求項４】  前記光ディスク保持手段は、前記スキュー位置と、このスキュー位置から離反する予め定める離反位置との間で直線的に移動可能に設けられるものであって、
前記スキュー位置と前記離反位置との間で所定の間隔を開けて配置され、前記光ディスク保持手段の位置を検出する複数の位置センサを備えることを特徴とする請求項１〜３のいずれかに記載の光ピックアップ性能測定装置。
【請求項５】  前記制御装置は、前記各位置センサに個別に割り当てられた数値信号、およびこの数値信号に個別の位置情報が、予め記憶された記憶手段を有し、
前記制御手段は、位置センサが出力した数値信号と、前記記憶手段に記憶された数値信号とを比較して、前記光ディスク保持手段の位置を判定することを特徴とする請求項４記載の光ピックアップ性能測定装置。
【請求項６】  前記制御手段は、移動前の光ディスク保持手段が位置された位置センサが出力した数値信号と、移動後の光ディスク保持手段が位置された位置センサが出力した数値信号とを比較して、光ディスク保持手段の移動方向を判定することを特徴とする請求項５記載の光ピックアップ性能測定装置。
【請求項７】  少なくとも前記光ディスク保持手段の制御命令を入力するために必要な最低限の構成を有する操作手段を備え、
前記操作手段から出力された制御命令は、前記制御装置に入力され、制御装置の制御手段は、前記制御命令に基づいて、少なくとも光ディスク保持手段を制御することを特徴とする請求項１〜６のいずれかに記載の光ピックアップ性能測定装置。
【手続補正２】
【補正対象書類名】明細書
【補正対象項目名】０００４
【補正方法】変更
【補正の内容】
【０００４】
【課題を解決するための手段】
請求項１記載の本発明は、光学性能を測定すべき光ピックアップの凹所に嵌まり込むことによって、光ピックアップの予め定めるＸ方向の一端部を保持する第１保持部材と、
前記光ピックアップの前記Ｘ方向の他端部には、前記Ｘ方向に垂直なＹ方向に延びる主軸が設けられ、前記主軸の両端部を上方から押さえるとともに、前記光ピックアップを前記Ｘ方向一方側に付勢する第２保持部材と、
前記保持された光ピックアップに対して、測定用光ディスクを予め定めるスキュー位置に保持する光ディスク保持手段と、
前記測定すべき光ピックアップが、前記測定用光ディスクから読み出すことによって生じた電気信号を光学情報値に演算する制御手段を有する制御装置とを備えることを特徴とする光ピックアップ性能測定装置である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また光ピックアップのＸ方向他端部には、Ｘ方向に垂直なＹ方向に延びる主軸が設けられる。この光ピックアップが光ディスク再生装置に搭載されたとき、主軸は光ピックアップの変位を、光ディスクの回転中心と光ディスクの半径方向外方端部とを結ぶ直線に沿うように案内する。第１保持部材によってＸ方向一方側が保持された光ピックアップが、主軸の両端部を第２保持部材によって上方から押さえられることによって、第１保持部材側に付勢される。これによって、光ピックアップが予め定めるピックアップ保持位置に確実に保持される。
【手続補正５】
【補正対象書類名】明細書
【補正対象項目名】０００９
【補正方法】変更
【補正の内容】
【０００９】
請求項２記載の本発明は、前記第１および第２保持部材は、少なくとも前記Ｘ方向に直線的に変位可能で、かつＸ方向とＹ方向と、Ｘ方向およびＹ方向に垂直なＺ方向とに平行な、Ｘ〜Ｚ軸線まわりに角変位可能な精密ステージ上に固定されることを特徴とする。
【手続補正６】
【補正対象書類名】明細書
【補正対象項目名】００１１
【補正方法】変更
【補正の内容】
【００１１】
請求項３記載の本発明は、前記光ディスク保持手段は、保持すべき測定用光ディスクを、予め定めるセンタ位置に規制するセンタ規制部材を備えることを特徴とする。
【手続補正７】
【補正対象書類名】明細書
【補正対象項目名】００１３
【補正方法】変更
【補正の内容】
【００１３】
請求項４記載の本発明は、前記光ディスク保持手段は、前記スキュー位置と、このスキュー位置から離反する予め定める離反位置との間で直線的に移動可能に設けられるものであって、
前記スキュー位置と前記離反位置との間で所定の間隔を開けて配置され、前記光ディスク保持手段の位置を検出する複数の位置センサを備えることを特徴とする。
【手続補正８】
【補正対象書類名】明細書
【補正対象項目名】００１５
【補正方法】変更
【補正の内容】
【００１５】
請求項５記載の本発明は、前記制御装置は、前記各位置センサに個別に割り当てられた数値信号、およびこの数値信号に個別の位置情報が、予め記憶された記憶手段を有し、
前記制御手段は、位置センサが出力した数値信号と、前記記憶手段に記憶された数値信号とを比較して、前記光ディスク保持手段の位置を判定することを特徴とする。
【手続補正９】
【補正対象書類名】明細書
【補正対象項目名】００１７
【補正方法】変更
【補正の内容】
【００１７】
請求項６記載の本発明は、前記制御手段は、移動前の光ディスク保持手段が位置された位置センサが出力した数値信号と、移動後の光ディスク保持手段が位置された位置センサが出力した数値信号とを比較して、光ディスク保持手段の移動方向を判定することを特徴とする。
【手続補正１０】
【補正対象書類名】明細書
【補正対象項目名】００１９
【補正方法】変更
【補正の内容】
【００１９】
請求項７記載の本発明は、少なくとも前記光ディスク保持手段の制御命令を入力するために必要な最低限の構成を有する操作手段を備え、
前記操作手段から出力された制御命令は、前記制御装置に入力され、制御装置の制御手段は、前記制御命令に基づいて、少なくとも光ディスク保持手段を制御することを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】０１０２
【補正方法】変更
【補正の内容】
【０１０２】
また第１保持部材によってＸ方向一方側が保持された光ピックアップが、主軸の両端部を第２保持部材によって上方から押さえられることによって、第１保持部材側に付勢される。これによって、光ピックアップが予め定めるピックアップ保持位置に確実に保持される。
【手続補正２４】
【補正対象書類名】明細書
【補正対象項目名】０１０３
【補正方法】変更
【補正の内容】
【０１０３】
請求項２記載の本発明によれば、光ピックアップ性能測定装置を複数台製造する場合に、これらの第１および第２保持部材に、製造ロット毎のばらつきがあったとしても、精密ステージによって、これらのばらつきを吸収することができ、全ての光ピックアップ性能測定装置において、上記第１および第２保持部材は同一の位置精度を再現することができる。
【手続補正２５】
【補正対象書類名】明細書
【補正対象項目名】０１０４
【補正方法】変更
【補正の内容】
【０１０４】
請求項３記載の本発明によれば、光ディスク保持手段は、測定用光ディスクを予め定めるセンタ位置に規制するセンタ規制部材を備えるので、測定用光ディスクに製造ロット毎のばらつきがあったとしても、第１および第２保持部材によって保持された光ピックアップに対して、予め定めるスキュー位置を再現することができ、これによって、測定用光ディスクに製造ロット毎のばらつきに起因する光ピックアップの性能測定結果のばらつきを防ぐことができる。
【手続補正２６】
【補正対象書類名】明細書
【補正対象項目名】０１０５
【補正方法】変更
【補正の内容】
【０１０５】
請求項４記載の本発明によれば、位置センサを、光ディスク保持手段の移動軌跡に沿って配置することによって、制御装置の制御手段は、測定される光ピックアップに対する測定用光ディスクの位置を検出することができ、光ピックアップに対して測定用光ディスクを、光学性能の測定時に読み取るべき光学測定用情報の記録位置に配置されるように制御することができる。
【手続補正２７】
【補正対象書類名】明細書
【補正対象項目名】０１０６
【補正方法】変更
【補正の内容】
【０１０６】
請求項５記載の本発明によれば、制御手段は、位置センサから入力される信号を演算する必要がなくなる。
【手続補正２８】
【補正対象書類名】明細書
【補正対象項目名】０１０７
【補正方法】変更
【補正の内容】
【０１０７】
請求項６記載の本発明によれば、各位置センサには、個別の数値信号が割り当てられているので、制御手段は、移動前の光ディスク保持手段が位置された位置センサが出力した数値信号と、移動後の光ディスク保持手段が位置された位置センサが出力した数値信号とを比較するだけで、光ディスク保持手段の移動方向を判定することができる。
【手続補正２９】
【補正対象書類名】明細書
【補正対象項目名】０１０８
【補正方法】変更
【補正の内容】
【０１０８】
請求項７記載の本発明によれば、測定作業者は、光ピックアップ測定用の最低限の操作キーしか使用しないので、パーソナルコンピュータのキーボードやマウスを使用して命令を入力する場合に比較して、誤操作が減少し、操作性も向上する。また、パーソナルコンピュータを使用するので、光ピックアップの設計変更に応じて制御命令の変更も容易である。
【手続補正３０】
【補正対象書類名】明細書
【補正対象項目名】０１０９
【補正方法】削除
【補正の内容】
【手続補正３１】
【補正対象書類名】明細書
【補正対象項目名】０１１０
【補正方法】削除
【補正の内容】
【手続補正３２】
【補正対象書類名】明細書
【補正対象項目名】０１１１
【補正方法】削除
【補正の内容】
【手続補正３３】
【補正対象書類名】明細書
【補正対象項目名】０１１２
【補正方法】削除
【補正の内容】
【手続補正３４】
【補正対象書類名】明細書
【補正対象項目名】０１１３
【補正方法】削除
【補正の内容】
【手続補正３５】
【補正対象書類名】明細書
【補正対象項目名】０１１４
【補正方法】削除
【補正の内容】